(57)【要約】【課題】廉価で簡易な構成でありながらも、筐体内部へ導電体を不正侵入させることによる誤動作を確実に防止する等の遊技機を提供する。【解決手段】特定の監視対象信号である例えば設定キースイッチ信号Ｔｉｎと、その信号線の近傍に配設される他の信号線の信号Ｎとが同時期にアクティブとなった場合に異常と判定する信号異常監視手段２６を備える。これにより、設定キースイッチの信号線を針金でショートさせる等の不正なアクセス行為を検知し、誤動作を防止する。【選択図】図４
2008036142.tif 000002
【特許請求の範囲】
【請求項１】
異常監視の対象とされる所定の信号と他の何れかの信号とが同時期に変位した場合に異常と判定する信号異常監視手段を備えたことを特徴とする遊技機。
【請求項２】
前記他の信号の信号線が前記所定の信号の信号線の近傍に複数設けられ、前記信号異常監視手段は、少なくとも前記他の信号の何れか１つと前記所定の信号とが同時期に変位した場合に異常と判定することを特徴とする請求項１に記載の遊技機。
【請求項３】
前記信号異常監視手段は、異常監視の対象である前記所定の信号が異常であると判定したとき当該信号の出力を処理無効とする信号出力保護手段を含むことを特徴とする請求項１又は２に記載の遊技機。
【請求項４】
前記信号異常監視手段は、異常監視の対象である前記所定の信号が異常であると判定したときエラー報知を行うことを特徴とする請求項１〜３の何れか１項に記載の遊技機。
【請求項５】
異常監視の対象とされる前記所定の信号線と前記他の信号線とは、それぞれコネクタ接続される各ピンの位置が相互に近接して配設されていることを特徴とする請求項１〜４の何れか１項に記載の遊技機。
【請求項６】
異常監視の対象とされる前記所定の信号線と前記他の信号線とは、それぞれが絶縁被覆されたハーネスが束ねられて相互に近接して配設されていることを特徴とする請求項１〜４の何れか１項に記載の遊技機。
【請求項７】
異常監視の対象とされる前記所定の信号線は、出玉率の設定変更装置を起動させる設定キースイッチの出力信号線であることを特徴とする請求項１〜６の何れか１項に記載の遊技機。
【発明の詳細な説明】
【技術分野】
【０００１】
本発明は、筐体内部の信号線を意図的にショート等させて誤動作を引き起こすような不正行為に対する対策が講じられた遊技機に関する。
【背景技術】
【０００２】
従来、スロットマシン等の遊技機においては、前扉と筐体との間に生じた僅かな隙間から針金等を巧妙に侵入させ、筐体内部に配線されたハーネスやコネクタに針金等を接触、ショートさせて、遊技機の誤動作を引き起こす不正行為が問題となっていた。これまで、かかる不正行為に対しては、前扉と筐体との隙間を遮断する侵入防止部材を設ける対策案（例えば特許文献１及び特許文献２）や、隙間部分にセンサを設けて針金等の侵入を検知する対策案（例えば特許文献３）等が開示されている。
【０００３】
【特許文献１】特開２００３−１８０９３２号公報
【特許文献２】特開２００１−２１２２８４号公報
【特許文献３】特開２００４−２３６６９３号公報
【発明の開示】
【発明が解決しようとする課題】
【０００４】
しかし、上述した侵入防止部材を設ける対策のみでは、針金等の一次的な侵入に対しては防御できるものの、バール等を使って筐体をこじ開け一旦異物が侵入するとそれへの対応する余地がなかった。また、かかる強硬な手段に対しては、例えば筐体フレームや侵入防止部材の剛性を高めることも考えられるが、新たなコスト増となるなどの難点があった。また、スロットマシンには、前扉と筐体との隙間の他にも、メダル払出口やパネル部材の嵌合孔といった外部から侵入可能な経路が数多く存在し、針金等の不正侵入を確実に防止するために多くのセンサを緻密に配備するとなると、被害実態に相応しない大幅なコスト高を招くおそれもあり合理的とはいえなかった。
【０００５】
本発明は、こうした従来の問題に鑑みてなされたものであり、廉価で簡易な構成でありながらも、筐体内部へ導電体を不正侵入させることによる誤動作を確実に防止する等の遊技機を提供することを目的としている。
【課題を解決するための手段】
【０００６】
上述した課題を解決するため、請求項１に記載の発明は、遊技機であって、異常監視の対象とされる所定の信号と他の何れかの信号とが同時期に変位した場合に異常と判定する信号異常監視手段を備えたことを特徴とする。
【０００７】
請求項１に記載の遊技機によれば、信号異常監視手段が異常監視する所定の信号とそれ以外の他の何れかの信号とが同時期に変位した場合に異常と判定する。これにより、所定の信号の信号線に対し導電体を接触させる等の不正なアクセスを検知する。
【０００８】
請求項２に記載の発明は、請求項１に記載の遊技機であって、前記他の信号の信号線が前記所定の信号の信号線の近傍に複数設けられ、前記信号異常監視手段は、少なくとも前記他の信号の何れか１つと前記所定の信号とが同時期に変位した場合に異常と判定することを特徴とする。
【０００９】
請求項２に記載の遊技機によれば、信号異常監視手段が異常監視する所定の信号と、その近傍に配設された複数の他の信号の何れかが同時期に変位した場合に異常と判定する。これにより、所定の信号の信号線に対し導電体を接触させる等の不正なアクセスを精度良く検知する。
【００１０】
請求項３に記載の発明は、請求項１又は２に記載の遊技機であって、前記信号異常監視手段は、異常監視の対象である前記所定の信号が異常であると判定したとき当該信号の出力を処理無効とする信号出力保護手段を含むことを特徴とする。
【００１１】
請求項３に記載の遊技機によれば、信号出力保護手段は異常監視の対象である信号が異常であると判定したとき当該信号の出力を処理無効とする。これにより、異常監視の対象の信号の信号線に対する不正アクセスの影響を波及させないようにし、不正行為の完遂を確実に防止する。
【００１２】
請求項４に記載の発明は、請求項１〜３の何れか１項に記載の遊技機であって、前記信号異常監視手段は、異常監視の対象である前記所定の信号が異常であると判定したときエラー報知を行うことを特徴とする。
【００１３】
請求項４に記載の遊技機によれば、信号出力保護手段は異常監視の対象である信号が異常であると判定したときエラー報知を行うことで、不正行為の実行を牽制する。
【００１４】
請求項５に記載の発明は、請求項１〜４の何れか１項に記載の遊技機であって、異常監視の対象とされる前記所定の信号線と前記他の信号線とは、それぞれコネクタ接続される各ピンの位置が相互に近接して配設されていることを特徴とする。
【００１５】
請求項５に記載の遊技機によれば、異常監視の対象とされる所定の信号線のコネクタピンと他の信号のコネクタピンとを、それぞれ近接して配設することで、コネクタ接続される部分に導電体を接触させる等の不正アクセスを確実に検知する。
【００１６】
請求項６に記載の発明は、請求項１〜４の何れか１項に記載の遊技機であって、異常監視の対象とされる前記所定の信号線と前記他の信号線とは、それぞれが絶縁被覆されたハーネスが束ねられて相互に近接して配設されていることを特徴とする。
【００１７】
請求項６に記載の遊技機によれば、異常監視の対象とされる所定の信号線のハーネスと他の信号のハーネスとを束ねてそれぞれ近接して配設する。これにより、ハーネスの絶縁被覆を破損して導電体を接触させる等の不正アクセスを確実に検知する。
【００１８】
請求項７に記載の発明は、請求項１〜６の何れか１項に記載の遊技機であって、異常監視の対象とされる前記所定の信号線は、出玉率の設定変更装置を起動させる設定キースイッチの出力信号線であることを特徴とする。
【００１９】
請求項７に記載の遊技機によれば、出玉率の設定変更装置を起動させる設定キースイッチの出力信号線に対し導電体を接触させる等の不正アクセスを検知する。これにより、出玉率の不正な設定変更を防止する。
【発明の効果】
【００２０】
上述した請求項に係る遊技機によれば、筐体内部に配設される信号線をショートさせる等の不正なアクセスを精度良く検知し、針金等の不正侵入による誤作動を確実に防止することができる。また、信号異常監視手段を簡易なロジック回路で構成でき、遊技機の不正防止手段を安価に実現することができる。
【発明を実施するための最良の形態】
【００２１】
以下、本発明に係る遊技機の好適な実施形態としてスロットマシン１を例に図面を参照しながら説明する。
【００２２】
図１は、本発明の実施例１によるスロットマシン１の外観構造を表した正面図、図２は、前扉３を開いた状態でスロットマシン１の内部構造を表した図である。まず、図１を参照し、スロットマシン１は、遊技者に面するいわゆるフロントマスクが形成された前扉３が、略矩形状の箱体である筐体２の開口に対し図示しない蝶番機構により開閉可能に取り付けられている。フロントマスクは、上から上パネル部、中パネル部、下パネル部に概ね分けられ、これらは化粧板として視覚効果を高めてデザインされた硬質プラスチックにより一体的に形成されている。また、下パネル部の下方には、メダルを貯留するための受け皿４ａを備える受皿ユニット４が設けられている。
【００２３】
上パネル部には、高輝度の発光ダイオードを内蔵した上部ランプ５等の効果ランプ（フィーバーランプ）が配置され、リーチや大当たり等の際に点灯または点滅して遊技者の視覚に訴える演出を行っている。また、上パネル部の左右位置には、それぞれスピーカを内蔵した放音部６ａ、６ｂが設けられ、効果音や楽音等によるゲームの演出を行っている。更に、各放音部６ａ、６ｂに挟まれる中央位置には、液晶表示ユニット７が配設されている。
【００２４】
なお、液晶表示ユニット７は、ゲームの進行に応じて適宜選択される動画像を表示して当該ゲームにストーリー性を与えたり、また、ボーナスゲーム等の大当たりの際には、よりダイナミックな画像が表示されて、遊技者に高配当の期待感を引き起こしたりする等の演出を行っている。
【００２５】
中段の中パネル部には、その左右の位置に、上述した発光ダイオードを内蔵する別の効果ランプであるサイドランプ９ａ、９ｂが配置されている。
【００２６】
また、中パネル部の前面中央には、略長方形の透明な表示窓８ａが形成された中パネル板８が取り付けられている。そして、この表示窓８ａを通して、筐体内に設けられている円筒状の３個のリール１０ａ、１０ｂ、１０ｃを遊技者が目視できるように構成されている。
【００２７】
なお、各リール１０ａ、１０ｂ、１０ｃの周面には、複数の異なる種類を含む例えば２１個の図柄（図示略）がほぼ等間隔で配列され、表示窓８ａに臨む縦３個、横３列の図柄が当該表示窓を通して遊技者に視認されるようになっている。また、図示はしていないが、中パネル板８の前面適宜の位置には、内部当選した役を告知する告知表示部や、クレジット残数等を表示する数値表示部等の遊技情報表示部が形成されている。
【００２８】
中パネル板８の下方には、前方に若干突出した操作卓と呼ばれる卓状部が形成され、ここには、ゲームに使用するメダルを投入するための投入口を有するメダル投入部１１、ゲームの操作を指示するためのベットボタン１２、スタートレバー１３、及び３個のストップボタン１４ａ、１４ｂ、１４ｃ等が配設されている。
【００２９】
ベットボタン１２は、ゲームに賭けるメダルの枚数を提示するための押圧式のボタンスイッチである。スタートレバー１３は、リール１０ａ、１０ｂ、１０ｃを一斉に回転させる指示をするためのレバースイッチであり、先端に球形の操作ノブを有するレバーを上下左右の何れかの方向に傾倒操作するとオン作動し、レバーから手が離されるとスプリングの付勢力によって自動的に元の位置に戻ってオフ作動するように構成されている。
【００３０】
ストップボタン１４ａ、１４ｂ、１４ｃは、各リール１０ａ、１０ｂ、１０ｃの回転停止を個別に指示するための押圧式のボタンスイッチであり、各リールの配列に対応してそれぞれ並設されている。
【００３１】
フロントマスクの下パネル部を構成する下パネル１５には、スロットマシン１のモデルタイプ等を遊技者へ認識させるための、例えば登場キャラクターの絵柄（図示略）などが印刷されて表示されている。
【００３２】
前扉３の最下部に設けられた受皿ユニット４には、入賞配当等によりメダルを払い出すメダル払出口１６と、スピーカを内蔵しゲームの進行に応じて演出効果音を発生させる放音部１７がそれぞれ配設されている。
【００３３】
次に、図２を参照して、スロットマシン１の内部構造を説明する。まず、筐体２側内部の上部位置には、スロットマシン１の全体動作を統括制御する主制御基板２１が透明な基板ケースに収容されて取り付けられている。また、筐体２内のほぼ中央には、３個のリール１０ａ、１０ｂ、１０ｃを軸方向に並設してユニット化したリールユニット１０が、前扉３側に形成された上述の表示窓８ａに対向して所定のフレーム２２に固定されている。
【００３４】
なお、リールユニット１０の上部には、図示しない回動装置基板が取り付けられている。回動装置基板は、主制御基板２１からの駆動パルス信号を中継し電流増幅して各リール１０ａ、１０ｂ、１０ｃのステッピングモータに出力する。これにより、それぞれのリールの回転及び停止の制御が行なわれる。
【００３５】
リールユニット１０の下方のスペースには、メダル払出装置２３が設けられている。メダル払出装置２３は、メダル投入部１１から投入されたメダルをホッパー部に貯留し、入賞配当の際に上述のメダル払出口１６からメダルを遊技者に払い出している。
【００３６】
また、メダル払出装置２３に隣接して、当該メダル払出装置２３のホッパー部から溢れたメダルを収容するためのオーバーフロータンク２４と、スロットマシン１に内蔵される各機器へ所要の電力を配電する電源装置２５等が設置されている。
【００３７】
次に、前扉３側において上パネル部が形成された裏面には、上述した上部ランプ５等の光源である発光ダイオードを実装するＬＥＤ基板３１と、放音部６ａ、６ｂに対向するスピーカ３２ａ、３２ｂと、液晶表示ユニット７（図１参照）と、視聴覚的効果により主にゲームの演出制御を行うサブ制御基板３３等が組み付けられている。なお、サブ制御基板３３も上述した主制御基板２１と同様に、透明なプラスチックケースである基板ケースに収容されている。
【００３８】
中パネル部の裏面には、リール１０ａ、１０ｂ、１０ｃを前方の遊技者に透視させる表示窓８ａが形成された中パネル板８を前面側に設け、リールを照射するための冷陰極蛍光管３４と、告知表示部や数値表示部等の発光素子を実装するランプ基板３５、３６と、スタートレバー１３やストップボタン１４ａ、１４ｂ、１４ｃ等のスイッチ類の出力を主制御基板２１へ中継する中央表示基板３７等を、それぞれ組み付けてユニット化したランプハウスユニット３８が取り付けられている。
【００３９】
ランプハウスユニット３８の下方には、メダルセレクタ３９が取り付けられている。メダルセレクタ３９は、フロントマスクのメダル投入部１１に投入されたメダルの適否を判別し振り分ける装置である。なお、メダルセレクタ３９には、セレクタセンサ３９ａが設けられている。セレクタセンサ３９ａは、メダルセレクタ３９が適正と判定したメダルを検出し、主制御基板２１へメダル受付信号を送信する。主制御基板２１は、メダル受付信号を受信する毎にメダルをクレジット（論理貯留）している。
【００４０】
メダルセレクタ３９の下方には、フロントマスクに設けた下パネル１５と、下パネル１５を裏面から照明する蛍光管等を内蔵してユニット化した下パネルユニット４０が取り付けられている。
【００４１】
そして、下パネルユニット４０の背面側には、メダルセレクタ３９によって適正として選別されたメダルをメダル払出装置２３のホッパー部へ案内するメダルガイド部４１と、メダルセレクタ３９により不適として排除されたメダル（異物）をメダル排出口１６へ案内するフローシュート４２と、メダル払出装置２３から払い出されたメダルをメダル排出口１６へ案内するメダル払出通路４３等が設けられている。更に、下パネルユニット４０の背面下方部には、放音部１７に対向するスピーカ４４が取り付けられている。
【００４２】
かかる構成のスロットマシン１は、先のゲームにおいて入賞しメダルの払い出しが完了した時、または先のゲームにおいてハズレが確定すると待機状態となる。この状態において、ベットボタン１２が押圧操作されると、内部に貯留したメダル（クレジット）から当該ゲームにメダルが賭けられゲームが開始する。
【００４３】
ゲーム開始の状態でスタートレバー１３が傾倒操作されると、主制御基板２１はリール１０ａ、１０ｂ、１０ｃを一斉に回転させ始める。同時に入賞役を内部的な処理で抽選し、その結果をフラグ（メモリ）に記憶する。
【００４４】
次に、遊技者がストップボタン１４ａ、１４ｂ、１４ｃを任意の順番で押圧操作すると、主制御基板２１はそれに従い順次、対応するリールを停止させる。そして、主制御基板２１は、全てのリール１０ａ、１０ｂ、１０ｃが停止したことを検知すると、各リールに表示された図柄の組合せが上述のフラグに記憶された入賞役に係る図柄の組合せと一致しているか否か判定する。これらが一致したときには当該入賞が確定し、その入賞役の種類に応じた配当数のメダルをクレジットに加算する。入賞の配当によりクレジットが上限を超える場合には、メダル払出装置２３から超過分のメダルを受皿ユニット４へ払い出す。
【００４５】
このように、スロットマシン１の遊技者は、リール１０ａ、１０ｂ、１０ｃを回転・停止させる遊技操作を行って、表示窓８ａに変動表示した図柄が揃わなければ賭けたメダルを失うが、予め定められた組合せで図柄が揃い入賞が成立すると賭けた枚数以上のメダルを獲得し得るので、技量と運とによりメダルを増やすという興趣を伴った勝敗ゲームを楽しむことができる。
【００４６】
次に、スロットマシン１に備えられる不正防止手段の一つの実施形態である信号異常監視手段２６について説明する。ここで、図３は、信号異常監視手段２６周辺の回路構成を表したブロック図である。この実施形態によれば、信号異常監視手段２６は、主制御基板２１に設けられ、出玉率の設定変更起動のための設定キースイッチ信号Ｔｉｎの異常作動を監視する。
【００４７】
設定キースイッチ信号Ｔｉｎを生成させる設定キースイッチ２５１は、電源装置２５の前面の操作面に配設され、所定の鍵が差し込まれることでスイッチ操作を許容し、差し込んだ鍵を右方向に９０度回転させるとオンするスイッチである。設定キースイッチ２５１が操作されると、設定キースイッチ信号Ｔｉｎが主制御基板２１へ出力される。なお、電源装置２５は、常時は前扉３で施錠、閉塞されている筐体２内に設けられているため、本来、出玉率の設定変更は上述の鍵を管理するホールの責任者等のみが操作できる構成とされている。
【００４８】
電源装置２５の操作面には、他に、自動精算スイッチ２５２、打止スイッチ２５３等が配設されている。これらのスイッチが操作されると、それぞれ自動精算スイッチ信号Ｎ１、打止スイッチ信号Ｎ２として主制御基板２１へ出力される。
【００４９】
更に、電源装置２５の電源装置基板は、主制御基板２１とメダル払出装置２３との間の制御信号等を中継する中継基板としても機能している。すなわち、電源装置基板は、例えば、主制御基板２１から送信されるメダル払出指令信号Ｎ３を中継してメダル払出装置２３へ出力し、メダル払出装置２３からのメダル払出検知信号Ｎ４を主制御基板２１へ出力する。
【００５０】
主制御基板２１に設けられた信号異常監視手段２６は、設定キースイッチ信号Ｔｉｎが正規の操作によるものか否かを監視し、その作動が後述する判定ロジックに基づいて不正行為によるものと判定した場合にエラー信号Ｅを生成し、エラー報知手段２７に出力する。エラー報知手段２７は、例えばサブ制御基板３３に設けられたランプ駆動手段やスピーカ駆動手段であり、スロットマシン１に設けられている上部ランプ５やサイドランプ９ａ、９ｂ、放音部６ａ、６ｂ等を駆動して光や音で周囲に異常を報知する。また、エラー報知手段２７は、例えばホールコンピュータ等の外部の集中管理装置へエラー信号Ｅを送出し異常を報知してもよい。
【００５１】
信号異常監視手段２６の第１の実施例を図４に示す回路図及び図５に示す真偽表に基づいて説明する。図４に示される実施例によれば、信号異常監視手段２６は、信号異常判定手段２８と信号出力保護手段２９とを備えて回路構成されている。信号異常判定手段２８は、例えばＡＮＤ回路２８１を備えてなり、異常監視の対象とされる設定キースイッチ信号Ｔｉｎと、設定キースイッチ信号Ｔｉｎの信号線の近傍に配設される他の信号Ｎとを入力し、図５（ａ）に示されるように両信号がいずれもアクティブ（１）に変位した場合に異常と判定してエラー信号Ｅを生成する。
【００５２】
この場合の他の信号Ｎは、例えば上述した自動精算スイッチ信号Ｎ１、打止スイッチ信号Ｎ２、メダル払出指令信号Ｎ３、メダル払出検知信号Ｎ４の何れかであるが、これらに限定するものではない。電源装置２５の電源装置基板にプリント形成される他の信号Ｎの導電パターンは、上述の設定キースイッチ信号Ｔｉｎの導電パターンの少なくとも一部に近接して配置されている。
【００５３】
すなわち、正常時においては、設定キースイッチ２５１と他のスイッチが同時に操作されたり、メダル払出装置２３等が同時に作動することはあり得ないが、不正行為者が針金等を使って設定キースイッチ信号Ｔｉｎをショートさせた場合には、他の近傍の信号線にも針金等が触れる可能性が極めて高い。信号異常判定手段２８は、かかる事象が発生した場合に、監視対象の信号Ｔｉｎの作動が不正行為によるものと判定しエラー信号Ｅを生成する。
【００５４】
なお、監視対象とされる設定キースイッチ信号Ｔｉｎと他の信号Ｎとは、電源装置基板面上の導電パターンのみならず、コネクタを介した接続部分のピン同士が近接して配置されるものでもよい。また、主制御基板２１と電源装置２５とを繋ぐハーネスを１つに束ねて相互に近接させてもよい。監視対象の信号Ｔｉｎと他の信号Ｎとが近接する部分が多いほど異常監視の範囲が広がるとともに、その検知精度も高くなり、不正防止効果を高めることができる。
【００５５】
また、信号異常判定手段２８は、設定キースイッチ信号Ｔｉｎと他の信号Ｎとが所定の極めて小さな時間差内で同電位に変位するか、若しくは互いに変動した場合に異常と判定してエラー信号Ｅを生成する構成でもよい。また、信号異常判定手段２８は、設定キースイッチ信号Ｔｉｎの信号線と他の信号Ｎの信号線との間のインピーダンスを測定し、これがゼロになった場合にエラー信号Ｅを生成する構成でもよい。更には、信号異常判定手段２８は、監視対象の信号Ｔｉｎと他の信号Ｎの状態に基づいて主制御基板２１が論理演算することによってその機能が実現されるものでもよい。
【００５６】
信号出力保護手段２９は、図５（ｂ）に示されるように、異常監視の対象とされる設定キースイッチ信号Ｔｉｎがアクティブ（１）でエラー信号Ｅが生成（１）されているときには、当該設定キースイッチ信号の出力Ｔｏｕｔを非アクティブ（０）にする。これにより、設定キースイッチ信号Ｔｉｎに対する不正アクセスの影響を波及させないように保護している。なお、この信号出力保護手段２９も主制御基板２１に搭載されるプログラムを構成要素として演算処理により所定機能が実現されるものであってもよい。
【００５７】
次に、信号異常監視手段２６による異常監視の精度向上を目的とした第２の実施例を図６の回路図と図７の真偽表を参照して説明する。図６に示される実施例によれば、信号異常監視手段２６は、信号異常判定手段２８と信号出力保護手段２９とを備えて回路構成されている。
【００５８】
この実施例による信号異常判定手段２８は、例えばＡＮＤ回路２８１と複数入力のＯＲ回路２８２とを備えて構成されている。ＯＲ回路２８２には、異常監視の対象とされる設定キースイッチ信号Ｔｉｎとは相互に信号線が近傍に配設されている、例えば自動精算スイッチ信号Ｎ１、打止スイッチ信号Ｎ２、メダル払出指令信号Ｎ３が入力される。但し、発明を実施するに際してはこれらに限定されず、他にメダル払出検知信号Ｎ４等を適宜増設し若しくは減じてもよい。
【００５９】
ＡＮＤ回路２８１は、設定キースイッチ信号ＴｉｎとＯＲ回路２８２の出力がいずれもアクティブ（１）となった場合に異常と判定してエラー信号Ｅを生成する。すなわち、図７の真偽表に示されるように、第２の実施例の信号異常判定手段２８は、設定キースイッチ信号Ｔｉｎと他の信号Ｎ１、Ｎ２、Ｎ３の少なくとも何れか一つが同時期にアクティブ（１）に変位した場合に異常と判定してエラー信号Ｅを生成する。
【００６０】
なお、電源装置２５の電源装置基板にプリント形成される自動精算スイッチ信号Ｎ１、打止スイッチ信号Ｎ２、メダル払出指令信号Ｎ３の導電パターンは、設定キースイッチ信号Ｔｉｎの導電パターンの少なくとも一部に近接して配置されている。また、コネクタを介した接続部分のピン同士も近接して配置され、更に主制御基板２１と電源装置２５とを繋ぐハーネスが束ねられて相互に近接して配置されている。
【００６１】
このように、異常監視の対象である設定キースイッチ信号Ｔｉｎが針金等でショートされると、その近傍に信号線が配置されている他の自動精算スイッチ信号Ｎ１や打止スイッチ信号Ｎ２も同時に作動する可能性が極めて高く、信号異常判定手段２８は、かかる事象が発生した場合に、監視対象の信号Ｔｉｎの作動が不正行為によるものと判定しエラー信号Ｅを生成する。
【００６２】
なお、この実施例による信号異常判定手段２８は、設定キースイッチ信号Ｔｉｎと他の何れかの信号Ｎ１、Ｎ２、Ｎ３が所定の極めて小さな時間差内で同電位に変位するか、若しくは互いに変動した場合に異常と判定してエラー信号Ｅを生成する構成でもよい。また、信号異常判定手段２８は、設定キースイッチ信号Ｔｉｎの信号線と他の信号Ｎ１、Ｎ２、Ｎ３の信号線との間のインピーダンスを測定し、その何れかがゼロになった場合にエラー信号Ｅを生成する構成でもよい。更には、信号異常判定手段２８は、監視対象の信号Ｔｉｎと他の信号Ｎ１、Ｎ２、Ｎ３の状態に基づいて主制御基板２１が論理演算することにより所定機能が実現されるものでもよい。
【００６３】
信号出力保護手段２９は、上述した第１の実施例と同じ構成であり、図７の真偽表に示されたように、異常監視の対象とされる設定キースイッチ信号Ｔｉｎがアクティブ（１）であってもエラー信号Ｅが生成（１）されているときには、当該設定キースイッチ信号の出力Ｔｏｕｔを非アクティブ（０）にする。これにより、設定キースイッチ信号Ｔｉｎに対する不正アクセスの影響を波及させないようにしている。
【００６４】
上述したように本実施形態によるスロットマシン１によれば、設定キースイッチ信号Ｔｉｎ等の信号の異常作動を監視する信号異常監視手段２６を設けたことにより、特定の信号線に針金をショートさせる等の不正なアクセス行為を検知し、これによる誤動作を防止することができる。また、簡易なロジック回路で信号異常監視手段２６を構成することができ、コスト増を多く伴わずに効果の高い不正防止手段を得ることができる。
【００６５】
また、仮に不正行為により信号が誤作動した場合でも、信号出力保護手段２９がこれを非作動状態に無害化し、不正行為の完遂を確実に防止することができる。
【産業上の利用可能性】
【００６６】
本発明は、スロットマシンのみならず、パチンコ等の他の遊技機にも応用できる。
【図面の簡単な説明】
【００６７】
【図１】本発明に係る遊技機の一つの実施形態であるスロットマシンの外観構造を表した正面図である。
【図２】図１に示したスロットマシンの内部構造を表した図である。
【図３】本発明の一つの実施形態による信号異常監視手段の周辺の回路構成を表したブロック図である。
【図４】信号異常監視手段の第１の実施例を表した回路図である。
【図５】図４に示した信号異常監視手段の真偽表である。
【図６】信号異常監視手段の第２の実施例を表した回路図である。
【図７】図６に示した信号異常監視手段の真偽表である。
【符号の説明】
【００６８】
１…スロットマシン                      ２…筐体
３…前扉                                ４…受皿ユニット
５…上部ランプ                          ６ａ、６ｂ…放音部
７…液晶表示ユニット                    ８…中パネル板
８ａ…表示窓                            ９ａ、９ｂ…サイドランプ
１０…リールユニット                    １０ａ、１０ｂ、１０ｃ…リール
１１…メダル投入部                      １２…ベットボタン
１３…スタートレバー                    １４ａ、１４ｂ、１４ｃ…ストップボタン
１５…下パネル                          １６…メダル払出口
１７…放音部                            ２１…主制御基板
２３…メダル払出装置                    ２５…電源装置
２６…信号異常監視手段                  ２７…エラー報知手段
２８…信号異常判定手段                  ２９…信号出力保護手段
３１…ＬＥＤ基板                        ３２ａ、３２ｂ…スピーカ
３３…サブ制御基板                      ３４…冷陰極蛍光管
３５、３６…ランプ                      ３７…中央表示基板
３８…ランプハウスユニット              ３９…メダルセレクタ
４０…下パネルユニット                  ４１…メダルガイド部
４２…フローシュート                    ４３…メダル払出通路
２５１…設定キースイッチ                ２５２…自動精算スイッチ
２５３…打止スイッチ
２８１…ＡＮＤ回路                      ２８２…ＯＲ回路
Ｔｉｎ…設定キースイッチ信号            Ｔｏｕｔ…設定キースイッチ信号の出力
Ｎ１…自動精算スイッチ信号              Ｎ２…打止スイッチ信号
Ｎ３…メダル払出指令信号                Ｎ４…メダル払出検知信号
ＣＯＭ…グランドコモン                  Ｅ…エラー信号
【図１】
2008036142.tif 000003
【図２】
2008036142.tif 000004
【図３】
2008036142.tif 000005
【図４】
2008036142.tif 000006
【図５】
2008036142.tif 000007
【図６】
2008036142.tif 000008
【図７】
2008036142.tif 000009